(57)【要約】【課題】接続信号線の一部に接点を設け、コネクタを完全に挿入することによりこの接点が接続されるような機構を設けて、コネクタの接続不良の検出を安価に、しかも確実に行うことが可能な雌側コネクタ要素および雄側コネクタ要素を備えたコネクタを提供することにある。【解決手段】雌側コネクタ要素Ａと雄側コネクタ要素Ｂの嵌合により移動する可動部分３を前記雌側コネクタ要素Ａに設け、この可動部分３に接点１を配置した雌側コネクタ要素Ａおよび雄側コネクタ要素Ｂを備えたコネクタＣ。【選択図】　　　　図３
2004111221.tif 000002
【特許請求の範囲】
【請求項１】
雌側コネクタ要素と雄側コネクタ要素の嵌合により移動する可動部分を前記雌側コネクタ要素に設け、この可動部分に接点を配置したことを特徴とする雌側コネクタ要素および雄側コネクタ要素を備えたコネクタ。
【請求項２】
前記可動部分が、コネクタの両端部にあることを特徴とする請求項１記載の雌側コネクタ要素および雄側コネクタ要素を備えたコネクタ。
【発明の詳細な説明】
【０００１】
【発明の属する技術分野】
本発明は、電気信号等を伝達、接続するための雌側コネクタ要素および雄側コネクタ要素を備えたコネクタに関するものである。
【０００２】
【従来の技術】
特許文献１には、コネクタ本体の片端の上面に発光ダイオードを設け、コネクタの挿入状態に応じてこの発光ダイオードを点灯／消灯させることにより、情報処理機器等の組立作業時に電気的コネクタの接続確認が行え、かつ目視で状況が確認できるようにした技術が開示されている。
【０００３】
【特許文献１】
特開２００１−６８２４号公報
【０００４】
【発明が解決しようとする課題】
従来用いられているコネクタでは、挿入が確実に行われず不完全な状態で接続された場合、たとえば組立作業時には接点の導通があったならば、検査工程においてもその不完全な接続状態が電気的に検出されず、その後に振動等で接続が絶たれてしまい経時的な不具合を引き起こす可能性があるという欠点があった。
【０００５】
また特許文献１による技術では、コネクタの不完全挿入をコネクタ本体に発光ダイオードを設け、この点灯／消灯によりコネクタの挿入不良を光学的に検出するという手段が提案されている。しかしながら、この技術では挿入不良を検出するための発光ダイオードを点灯させるのに回路が別途必要となり、コストアップにつながるという欠点がある。
【０００６】
また、目視による検査のため、検査時の見落とし等が発生する可能性があり、確実な保証ができない可能性があるという欠点も併せ持っている。
【０００７】
そこで本発明の目的は、接続信号線の一部に接点を設け、コネクタを完全に挿入することによりこの接点が接続されるような機構を設けて、コネクタの接続不良の検出を安価に、しかも確実に行うことが可能な雌側コネクタ要素および雄側コネクタ要素を備えたコネクタを提供することにある。
【０００８】
【課題を解決するための手段】
前記の課題を解決するために、請求項１記載の発明では、雌側コネクタ要素と雄側コネクタ要素の嵌合により移動する可動部分を前記雌側コネクタ要素に設け、この可動部分に接点を配置した雌側コネクタ要素および雄側コネクタ要素を備えたコネクタを最も主要な特徴とする。
【０００９】
請求項２記載の発明では、請求項１記載の雌側コネクタ要素および雄側コネクタ要素を備えたコネクタにおいて、前記可動部分が、コネクタの両端部にあることを主要な特徴とする。
【００１０】
【発明の実施の形態】
以下、図面により本発明の実施の形態を詳細に説明する。図１は本発明のコネクタを構成する雌側コネクタ要素の実施の形態を示す概略図である。図２は本発明のコネクタを構成する雄側コネクタ要素の実施の形態を示す概略図である。
【００１１】
図１において、雌側コネクタ要素Ａは可動部分３の動きに連動する接点１を備えており、この接点１が可動部分３の動きに連動して接点４に接離する構成となっている。接点４はハーネスと接続されており、接点１は雄側コネクタ要素Ｂのピン（後述）との導電性の接続部（接続溝）２に接続される。可動部分３は先端に鉤状突起５を備えている。
【００１２】
また、図２において、雄側コネクタ要素Ｂは凸部６を有している。この凸部６は、図１に示す可動部分３の先端の鉤状突起５と相対する位置に設けられている。雄側コネクタ要素Ｂは雌側コネクタ要素Ａに設けた接続部２に嵌合する導電性のピン７を備えている。
【００１３】
凸部６の側面が可動部分３の鉤状突起５に当たることによって可動部分３が動き、その結果、可動部分３に連動する接点１が開放され、接点４と雄側コネクタ要素Ｂのピン７との接続部２が非導通状態となる。
【００１４】
図３は雌側コネクタ要素と雄側コネクタ要素の挿入途中（コネクタ挿入不完全）の状態を示す概略図である。この図の状態では、接点４が接点１から開放され、電気的に非導通状態となっている。コネクタＣは雌側コネクタ要素Ａと雄側コネクタ要素Ｂから構成されている。
【００１５】
図４は雌側コネクタ要素と雄側コネクタ要素が完全に挿入された状態を示す概略図である。この図の状態では、接点４が接点１と接続され、電気的に導通状態となることを示している。
【００１６】
この接点を介する信号に、電源ラインもしくは機能信号等を割り当てることにより、システム機能動作を確認するだけで雌側コネクタ要素と雄側コネクタ要素の接続良否を判定することができる。
【００１７】
図５は本発明のコネクタの第１の実施例を示す正面図である。図６は図５のコネクタの側面図である。この実施例はコネクタＣの長手方向の中央１箇所に可動部分３および接点を配置した例で、接点を１つ有する場合である。
【００１８】
前述の構成、動作にて説明した通り、コネクタＣの雌側コネクタ要素Ａと雄側コネクタ要素Ｂが完全に挿入されるまで、接点４は開放されることになり、電気的に非導通の状態となるため、この信号線の導通の有無により、コネクタの挿入状態を確認することが可能となる。
【００１９】
図７は本発明のコネクタの第２の実施例を示す側面図である。図８は図７のコネクタの正面図である。この実施例はコネクタＣの長手方向の両端に可動部分３および接点を配置した例で、接点を複数有する場合である。
【００２０】
この実施例も前述の第１の実施例と同様、コネクタＣの雌側コネクタ要素Ａと雄側コネクタ要素Ｂが完全に挿入されるまで、接点は開放されることになり、電気的に非導通の状態となるため、この両端の信号線の導通の有無により、コネクタＣの挿入状態を確認することが可能となる。
【００２１】
【発明の効果】
以上説明したように、請求項１によれば、接続良否の検出に特別な付帯回路を必要としないため、システムを安価に構成できるという利点があり、また目視だけの検査に依存せず、システム動作保証の中で同時にコネクタの接続不良の検出が可能となるため、より検出力の高い、確実な検査方法が得られるコネクタを提供することができる。
【００２２】
請求項２によれば、斜め挿入によるコネクタの片側の浮きも検出可能となるため、とくに多ピン構成のコネクタにおいて、接続良否の判定をより確実なものにすることが可能となる。
【図面の簡単な説明】
【図１】本発明のコネクタを構成する雌側コネクタ要素の実施の形態を示す概略図である。
【図２】本発明のコネクタを構成する雄側コネクタ要素の実施の形態を示す概略図である。
【図３】雌側コネクタ要素と雄側コネクタ要素の挿入途中（コネクタ挿入不完全）の状態を示す概略図である。
【図４】雌側コネクタ要素と雄側コネクタ要素が完全に挿入された状態を示す概略図である。
【図５】本発明のコネクタの第１の実施例を示す正面図である。
【図６】図５のコネクタの側面図である。
【図７】図７は本発明のコネクタの第２の実施例を示す側面図である。
【図８】図７のコネクタの正面図である。
【符号の説明】
Ａ　雌側コネクタ要素
Ｂ　雄側コネクタ要素
Ｃ　コネクタ
１　接点
２　接続部（接続溝）
３　可動部分
４　接点
【図１】
2004111221.tif 000003
【図２】
2004111221.tif 000004
【図３】
2004111221.tif 000005
【図４】
2004111221.tif 000006
【図５】
2004111221.tif 000007
【図６】
2004111221.tif 000008
【図７】
2004111221.tif 000009
【図８】
2004111221.tif 000010